(57)【特許請求の範囲】
【請求項１】
フィルムを撮像する撮像手段と、該撮像手段により撮像された画像に対して、コマ画像領域を内含する表示領域を設定する表示領域設定手段と、該表示領域設定手段により設定された表示領域における画像を表示する表示手段と、該表示手段により表示される画像に対して、プリント領域を設定するプリント領域設定手段と、該プリント領域設定手段により設定されたプリント領域における画像に対する色調や濃度の補正値を自動計算するための計算領域を、設定されたプリント領域と独立して、コマ画像領域に内含されるように設定する計算領域設定手段と、前記プリント領域設定手段により設定されたプリント領域における画像に基づいて露光処理を行う露光手段とを備えてなることを特徴とする写真処理装置。
【請求項２】
プリント領域設定手段は、設定されるべきプリント領域の少なくとも一つのコーナーポイントを表示手段の表示画面上で指示するポイント指示手段を含む請求項１記載の写真処理装置。
【請求項３】
プリント領域が斜めに設定された場合、その角度に応じた回転処理をプリント領域における画像に加える画像回転処理手段をさらに備える請求項１又は２記載の写真処理装置。
【発明の詳細な説明】
【０００１】
【発明の属する技術分野】
本発明は、フィルムの各コマに対する色調や濃度の補正値、あるいはプリント枚数等のプリントデータをモニターを見ながら入力する機能を備えた写真処理装置に関する。
【０００２】
【従来の技術】
スキャナーユニットを搭載した写真処理装置では、スキャナーユニットが取り込んだ画像をデータ処理して各コマ画像を抽出した上で、コマ毎に色調や濃度を自動的に補正すると共に、コマ毎に最も適した露光条件（露光時間、露光量等）を算出し、この露光条件に基づいて各コマをプリントするようになっている。
【０００３】
スキャナーユニットは、ＣＣＤセンサを備えたものが一般的であり、画素を１列に配列したＣＣＤラインセンサ（リニアセンサ）であれば、フィルムを一定速度で搬送させながら、また、画素を縦横に配列したＣＣＤエリアセンサ（面センサ）であれば、フィルムを位置決めさせた状態で、それぞれフィルムを撮像するようになっている。
【０００４】
図４は、一例として、ＣＣＤラインセンサを搭載したスキャナーユニットにより取り込まれた画像を示している。フィルムを搬送させるためのフィルムキャリアは、コマ画像の幅寸法（１３５ｍｍフィルムであれば、２４ｍｍ）よりも若干大きい開口幅（１３５ｍｍフィルムであれば、２５ｍｍ（フィルムのパーフォレーションが開口内に入り込まない寸法））Ｘのフィルムマスクを備える一方、ＣＣＤラインセンサは、それよりも長い有効長（１３５ｍｍであれば、５０００画素）Ｙを有するものが使用されるため、取り込まれる画像は、幅方向に向かって端から順に並ぶ、フィルムマスクの影像領域Ａ、フィルムの画像非形成領域（いわゆる「スヌケ部」）Ｂ、コマ画像領域Ｃ、画像非形成領域Ｂ、フィルムマスクの影像領域Ａ、そして、送り方向に向かって交互に並ぶ、画像非形成領域Ｂ及びコマ画像領域Ｃ、で構成される。
【０００５】
取り込まれた画像は、副走査方向のライン毎にデータ解析されるようになっており、送り方向においては、濃度が低い画像非形成領域Ｂと濃度が高いコマ画像領域Ｃとの階調差（濃度差）により、両者の境界、即ち送り方向におけるコマ画像領域Ｃのエッジを求める一方、幅方向においては、濃度が高い影像領域Ａと濃度が低い画像非形成領域Ｂとの階調差（濃度差）により、両者の境界を求めた上で、該境界から画像非形成領域Ｂとコマ画像領域Ｃとの境界までの間隔が一定値（１３５ｍｍフィルムであれば、例えば０．５ｍｍ）であることを利用して、画像非形成領域Ｂとコマ画像領域Ｃとの境界、即ち幅方向におけるコマ画像領域Ｃのエッジを求め、これら互いに直交する四本のエッジを以てコマ画像領域Ｃを画定する。
【０００６】
従来の写真処理装置では、このように画定されたコマ画像領域Ｃがそのままプリント領域として用いられるわけではなく、これよりも若干小さい領域（具体的には、四辺の各エッジよりもさらに数画素（例えば１０画素）だけ内側に平行移動させた線を以て設定される領域）がプリント領域として設定されるようになっている。これは、コマ画像領域Ｃのエッジが正確に求められない場合や、フィルムが斜行した姿勢で撮像されて、コマ画像が微小ではあるが傾いている場合等、プリントの周縁にスヌケ部が写り込んで、プリントの品質が低下するのを防止するための施策である。
【０００７】
【発明が解決しようとする課題】
ところで、従来の写真処理装置では、スキャナーユニットによる自動補正では不十分な場合もあるから、スキャナーユニットによって補正されたコマ画像を表示するカラーモニターと、該カラーモニターに表示されたコマ画像に基づき色調や濃度のマニュアル補正を行なう補正キーとが設けられており、オペレータは、カラーモニターを見ながら補正キーの操作を行なって、プリントの色調、濃度を自由に変えてプリントすることができるようになっている。
【０００８】
また、カラーモニターに表示されるコマ画像は、オペレータが色調や濃度の自動補正あるいはマニュアル補正の処理結果を確認するためのものだけでなく、プリントの仕上がりイメージを観念するためのものでもあるため、カラーモニターの表示内容をプリントの内容に一致させるのが好ましく、従って、従来の写真処理装置では、上記のように設定されたプリント領域をそのままカラーモニター表示のための表示領域として用いている。
【０００９】
しかしながら、コマ画像の周縁をプリント内容や表示内容から積極的に除外する（いわゆる「スピルオーバー」）といった上記のプリント領域や表示領域の設定方法では、フィルムに存在するコマ画像全体が正しく忠実にプリント上で再現されないといった問題や、それ以前に、コマ画像の周縁が如何なる画像であるかを把握できないといった問題が発生することとなる。
【００１０】
そこで、本発明は上記の如き問題点に鑑みてなされたもので、フィルムに形成されたコマ画像をスピルオーバーすることなくそのまま全体をプリント上に再現することができる写真処理装置を提供することを課題とする。
【００１１】
【課題を解決するための手段】
上記課題を解決するために、本発明に係る写真処理装置は、フィルムを撮像する撮像手段と、該撮像手段により撮像された画像に対して、コマ画像領域を内含する表示領域を設定する表示領域設定手段と、該表示領域設定手段により設定された表示領域における画像を表示する表示手段と、該表示手段により表示される画像に対して、プリント領域を設定するプリント領域設定手段と、該プリント領域設定手段により設定されたプリント領域における画像に対する色調や濃度の補正値を自動計算するための計算領域を、設定されたプリント領域と独立して、コマ画像領域に内含されるように設定する計算領域設定手段と、前記プリント領域設定手段により設定されたプリント領域における画像に基づいて露光処理を行う露光手段とを備えてなることを特徴とする。
【００１２】
上記構成からなる写真処理装置によれば、コマ画像の周縁がカットされることなくコマ画像全体が表示手段に表示される。オペレータは、その表示範囲内で所望するプリント領域を設定する。このプリント領域が表示されているコマ画像領域と一致する場合、逆に言えば、コマ画像領域に一致するようにプリント領域を設定すれば、コマ画像の周縁が欠けることなく全体がプリントされる。当然に、プリント領域は、コマ画像領域に内含されるように設定してもいいし、コマ画像領域を内含するように設定してもよい。プリント領域における画像が正しくプリントされるためには、プリント領域の大きさの変化に対応してプリントの拡大率を変えるか、プリントのアスペクト比を変える必要がある。
また、上記構成からなる写真処理装置は、プリント領域の位置、大きさ、範囲とは関係無く、従来と同様、コマ画像領域の内側であって、誤差の少なく精度の高い補正値を算出することが可能な所定領域を計算領域として設定するものである。
【００１３】
また、本発明に係る写真処理装置は、請求項２記載の如く、プリント領域設定手段は、設定されるべきプリント領域の少なくとも一つのコーナーポイント（プリント領域の角）を表示手段の表示画面上で指示するポイント指示手段を含む構成を採用することができる。
【００１４】
プリント領域は、例えば表示手段の表示画面上の座標を入力することによっても設定することができるが、このポイント指示手段によれば、設定作業を簡易に行うことができ、プリントの生産性を向上させることができる。具体的には、プリント領域の三つ又は四つのコーナーポイントを指示したり、対角に位置する二つのコーナーポイントを指示したり、プリント領域の大きさを指定した上で、一つのコーナーポイントを指示することによって、プリント領域を設定することができる。
【００１５】
さらに、本発明に係る写真処理装置は、請求項３記載の如く、プリント領域が斜めに設定された場合、その角度に応じた回転処理をプリント領域における画像に加える画像回転処理手段をさらに備える構成を採用することができる。
【００１６】
フィルムのセット状態によっては、該フィルムを斜めに撮像する場合（特に１２０ｍｍフィルム）も考えられるが、上記構成からなる写真処理装置は、それをプリント時に矯正することができる。
【００１９】
【発明の実施の形態】
以下、本発明の一実施形態である写真処理装置について説明する。図１は、本実施形態に係るデジタル写真処理装置の概略図を示す。スキャナー部１は、フィルムＦを長手方向に搬送する搬送ローラ２，２と、フィルムＦの搬送面に開口するスリットを設けたフィルムマスク３と、スリットを介して搬送されるフィルムＦを撮像（スキャニング）するＣＣＤラインセンサ４とを備える一方、露光部５は、感光材料Ｐを長手方向に搬送する搬送ローラ６，６と、搬送される感光材料Ｐを走査露光するデジタル露光ヘッド７とを備えている。
【００２０】
そして、ＣＣＤラインセンサ４、デジタル露光ヘッド７あるいはその他のプリント処理を行なうのに必要な構成の制御を行なうパーソナルコンピュータ８には、スキャニングされたフィルムＦの各コマ画像を表示するカラーモニター９と、該カラーモニター９に表示されたコマ画像に対する色調、濃度等の補正値の入力、プリント枚数等のプリントデータの入力あるいは後述するプリント領域の設定のためのキーボード１０やマウス１１が接続されている。
【００２１】
図２は、画像処理に関する構成のブロック図を示す。ＣＣＤラインセンサ４は、パーソナルコンピュータ（以下、「ＰＣ」という）８に接続されており、ＣＣＤラインセンサ４が取り込んだ画像データ（図４参照）は、ＰＣ８の記憶部８ａに出力され、該記憶部８ａに記憶されるようになっている。
【００２２】
ＰＣ８の露光条件算出部８ｂでは、まず、第１ステップとして、記憶部８ａから入力された画像データに対し、コマ画像領域Ｃよりも小さい領域（以下、「計算領域」という、具体的には、コマ画像領域Ｃの四辺の各エッジよりもさらに数画素だけ内側に平行移動させた線を以て設定される領域、即ち従来のプリント領域）をコマ単位で設定し、第２ステップとして、各領域内における画像データに基づき、コマ毎に色調や濃度の補正値を算出すると共に、コマ毎に最も適した露光条件（露光量等）を算出する。尚、第２ステップは、周知技術であるので、その説明を割愛する。
【００２３】
計算領域の設定に際しては、まず、コマ画像領域Ｃを画定する。コマ画像領域Ｃは、記憶部８ａから入力された画像データを副走査方向のライン毎にデータ解析し、フィルムＦの送り方向においては、濃度が低い画像非形成領域Ｂと濃度が高いコマ画像領域Ｃとの階調差（濃度差）により、両者の境界、即ち送り方向におけるコマ画像領域Ｃのエッジを求めると共に、フィルムＦの幅方向においては、濃度が高い影像領域Ａと濃度が低い画像非形成領域Ｂとの階調差（濃度差）により、両者の境界を求めた上で、該境界から例えば５０画素（スヌケ部Ｂの幅０．５ｍｍに相当）だけ内側に平行移動させた線（フィルムＦの送り方向に沿った線）を幅方向におけるコマ画像領域Ｃのエッジと仮定し、これら互いに直交する四本のエッジを以て画定される。
【００２４】
これを前提として、計算領域は、送り方向におけるコマ画像領域Ｃのエッジから例えば５０画素だけ内側（コマ画像領域Ｃ内）に平行移動させた線（フィルムＦの幅方向に沿った線）を設定すると共に、幅方向におけるコマ画像領域Ｃのエッジから例えば５０画素だけ内側に平行移動させた線（フィルムＦの送り方向に沿った線）を設定し、これら互いに直交する四本の線を以て設定される。
【００２５】
ＰＣ８の表示制御部８ｃでは、まず、第１ステップとして、露光条件算出部８ｂから入力された記憶部８ａの画像データに対し、コマ画像領域Ｃよりも大きい領域（以下、「表示領域」といい、具体的には、コマ画像領域Ｃの四辺の各エッジよりも数画素だけ外側に平行移動させた線を以て設定される領域）をコマ単位で設定し、第２ステップとして、露光条件算出部８ｂから入力されたコマ画像領域情報及び補正値情報に基づき、コマ画像領域における画像データの補正を行う。尚、この第２ステップも、周知技術であるので、その説明を割愛する。
【００２６】
表示領域は、送り方向におけるコマ画像領域Ｃのエッジから例えば５０画素だけ外側（コマ画像領域Ｃ外）に平行移動させた線（フィルムＦの幅方向に沿った線）を設定すると共に、幅方向におけるコマ画像領域Ｃのエッジから例えば５０画素だけ外側に平行移動させた線（フィルムＦの送り方向に沿った線）を設定し、これら互いに直交する四本の線を以て設定されるが、幅方向においては、影像領域Ａと画像非形成領域Ｂとの境界から例えば０画素（スヌケ部Ｂの幅に相当する５０画素から前記５０画素を引いたもの）だけ内側に平行移動させた線（フィルムＦの送り方向に沿った線）を設定するようにしても、目的とする表示領域を設定することができる。
【００２７】
図３は、カラーモニター９の表示画面を示す。カラーモニター９の画面には、設定された表示領域に対応する６個の表示窓１２ａ〜１２ｆが横２列、縦３列のマトリクス状に配置され、それぞれ表示窓１２に、露光条件算出部８ｂでの計算結果に基づき表示制御部８ｃで自動補正されたコマ画像領域Ｃにおけるコマ画像を内含する表示領域における画像、即ち自動補正された状態のコマ画像１３がその周縁にスヌケ部１４を含めた状態で表示されるようになっている。尚、図中において、理解を深めるためにスヌケ部１４を幅太に記載している。
【００２８】
表示窓１２は、撮像されたコマ順位に対応して、左上から右方向に、そして、左下から右方向に並んでいる。即ち、表示窓１２ａ（コマ画像１３ａ）、表示窓１２ｂ（コマ画像１３ｂ）、表示窓１２ｃ（コマ画像１３ｃ）、表示窓１２ｄ（コマ画像１３ｄ）、表示窓１２ｅ（コマ画像１３ｅ）、表示窓１２ｆ（コマ画像１３ｆ）が撮像された順番として並んでいる。
【００２９】
そして、それぞれ表示窓１２の下部に示されたものは、そのコマに対する各種データである。そのうち、１５は、フィルムＦのコマ番号表示、１６は、プリント枚数ボタン表示、１７は、イエロー（Ｙ）の補正値ボタン表示、１８は、マゼンダ（Ｍ）の補正値ボタン表示、１９は、シアン（Ｃ）の補正値ボタン表示、２０は、濃度の補正値ボタン表示、２１は、露光条件算出部８ｂにて算出された自動補正値表示を示している。プリント枚数ボタン表示１６や各種補正値ボタン表示１７〜２０は、キーボード１０やマウス１１を用いた内容変更の入力操作が可能となっている。
【００３０】
さらに、２２は、カーソルであり、本図では、表示窓１２ａに合わされている。カーソル２２が合わされた表示窓１２がアクティブとなり、この中のコマ画像１３に対し、キーボード１０やマウス１１を用いた各種の入力操作が可能となる。２３は、補正値入力、プリント枚数入力、あるいは後述するコーナーポイント設定等の諸設定を終えた後、プリント処理を開始させるためのスタートボタン表示であり、該スタートボタン表示２３がクリック操作されたならば、画面に表示されたコマ画像が順次プリントされる構成となっている。
【００３１】
コーナーポイント設定とは、コマ画像１３よりも若干大きく表示された表示窓１２における画像に対し、マウス１１を用いてコマ画像１３の四コーナーをポイント（クリック）指示することにより、プリント領域をマニュアル操作で設定するもので、スピルオーバーを無くして、全コマ画像を有効にプリントすることができるようになる手段である。
【００３２】
コーナーポイント設定により生成されたコーナーポイント設定データは、例えばスタートボタン表示２３を操作した際に、入力操作部から表示制御部８ｃを介してプリントデータ作成部８ｄに出力される。そこで、プリントデータ作成部８ｄでは、まず第１ステップとして、入力された画像データに対して、コーナーポイント設定データに対応したプリント領域を設定し、第２ステップとして、自動補正及び／又はマニュアル補正により得られた補正値に基づき、プリント領域（即ちコマ画像領域）における画像データの補正を行い、第３ステップとして、この画像データ（当然に補正が行われない場合もある、以下、「プリント画像データ」という）及びプリント枚数データからなるプリントデータを作成する。
【００３３】
露光ヘッド制御部８ｅでは、作成されたプリントデータをプリントデータ作成部８ｄから入力し、これに基づいて、デジタル露光ヘッド７の出力制御を行う。尚、上記のようにして設定されたプリント領域は、従来の方法により設定されたプリント領域よりも僅かに大きな領域となるため、従来のプリント画像に対して縮小率が設定されたプリント画像データを作成する必要があり、これにより、設定したプリント領域における画像の周縁が感光材料面よりも外側に外れて、これがプリント上に再現されないという、いわゆる「ケラレ」を好適に防止することができる。
【００３４】
また、走査露光方式では、デジタル露光ヘッド７に対して、プリント画像データを１ラインずつ出力するようになっているため、例えば図３に示すコマ画像１３ｆのように、プリント領域を斜めに設定したプリント画像は、感光材料Ｐ上にそのまま斜めに再現されることとなる。従って、これを防止するために、プリントデータ作成部８ｄは、プリント領域が斜めに設定された場合、プリント領域における画像データに対してその傾きに応じた回転処理を加えた状態でプリント画像データを作成するようになっている。
【００３５】
本実施形態に係る写真処理装置は、以上の構成からなり、一例として、２４枚撮りのフィルムＦをリプリント（現像処理されたフィルムの特定のコマを焼き増しすること）する場合の態様を以下に説明する。
【００３６】
一般的に、フィルムＦは、同時プリントを終えた後、６コマ単位にて切断されて保存されるため、例えば、２４枚のフィルムであれば、４本に分割されることとなる。この分割されたフィルムＦをオペレータがフィルムキャリア２の搬送経路上にセットすれば、フィルム搬送ローラ４が駆動して、フィルムＦの各コマ（６コマ）は、搬送されながら順次スキャニングされるようになっている。
【００３７】
６コマ分のスキャニングが終了すると、図３に示す画面がカラーモニター９上に現れるから、オペレータは、各コマに対して、コーナーポイント設定（表示されているコマ画像のコーナーを指定するだけではなく、任意のポイントを指定することは当然に可能）を行い、また、より好適なプリントの仕上がりを期待する場合やプリント枚数を変更する場合には、所望するコマに対して各種の入力操作を実行する。
【００３８】
そして、コーナーポイント設定や必要な入力操作が完了すると、オペレータは、最後にスタートボタン操作を行う。すると、設定されたプリント領域における画像データの補正が行われて、プリント画像データが作成されると共に、コマ毎に最も適した露光条件（露光量等）が算出され、このプリント画像データ及びこの露光条件に基づいて各コマのプリント、即ち搬送ローラ６及びデジタル露光ヘッド７によるデジタル走査露光が開始される。
【００３９】
また、露光処理と進行を同じくして、次の分割されたフィルムＦをセットすると、新たなコマ画像がカラーモニター９に表示され、オペレータは、各コマにおけるコーナーポイント設定及びコマの画質判断を行う。最初の分割されたフィルムＦの各コマの露光処理が終了し且つ次の分割されたフィルムＦの各コマに対する入力操作が終了したならば、そのフィルムＦの露光処理が開始される。
【００４０】
そして、以後、上述のようにして、フィルムＦの撮像、カラーモニター９における画像表示、表示された画像に対するコーナーポイント設定、必要とされる各種の入力操作、スタートボタン操作を繰り返すことで、フィルムＦのプリント処理が完了する。
【００４１】
以上のように、上記実施形態に係る写真処理装置によれば、ＣＣＤラインセンサ７が取り込んだ画像からコマ画像全体を抽出して、これをカラーモニター９に表示させると共に、コーナーポイント設定を行うことにより、オペレータが所望するプリント画像を設定するようになっているため、コマ画像全体をそのままプリント上に再現することもでき、しかも、プリントの周縁にスヌケ部が写り込まない高品質なプリントを得ることができる。
【００４２】
一方、スキャナー計算（自動補正値算出）のために設定される計算領域は、従来と同様の手法で設定されるため、従来の方法により設定される計算領域と当然に一致する。そのようにした理由は、コマ画像の周縁の画像は、スヌケ部の影響を受けて濃度がリニアに立ち上がっていないため、この部分の画像データまでスキャナー計算に用いると、自動補正値の精度が下がるからである。
【００４３】
尚、本発明は、上記実施形態に限定されるものではなく、本発明の要旨を逸脱しない範囲で種々の変更が可能である。
【００４４】
例えば、上記実施形態では言及していないが、コーナーポイント設定を正確に行い得るよう、表示されている画像を表示窓１２内で拡大したり、表示窓１２内で移動させたりすることを可能にする手段を設けておくのが好ましい。また、コーナーポイント設定を行った後は、そのコーナーポイントで画定された領域（プリント領域）の画像が表示窓１２全面に表示される手段（再表示手段）を設けるようにしてもよい。この場合、例えば図３に示すコマ画像１３ｆのように、斜めに傾いたコマ画像に対して、コーナーポイント設定すると、傾きが矯正された（回転処理が加えられた）状態で表示窓１２全面に表示される手段を設ける必要がある。
【００４５】
また、上記実施形態においては、表示されたコマの全てに対して、コーナーポイント設定を行うようにしているが、例えば、表示窓１２毎に対応して設けられたボタン表示をクリックする等の所定の操作を行って指示したコマや、あるいはコーナーポイント設定を行わないコマに対しては、従来の方法（即ちスピルオーバーさせる方法）でプリント領域が自動的に設定されるようにしてもよい。これは、オペレータがプリント領域を設定したいコマ以外は、コーナーポイント設定というマニュアル操作を無くして、作業性を向上させようとする発想に基づく。
【００４６】
さらに、上記実施形態においては、コーナーポイント設定に当たり、四点を指示するようにしているが、三点であってもプリント領域を設定することができるのは言うまでもない。また、プリント領域の大きさを指定するのであれば、一点であってもプリント領域を設定することができる。さらに、上記実施形態においては、斜めになっているコマに対してもコーナーポイント設定ができるようにしているが、フィルムキャリアの搬送精度が高くて、フィルムが斜行することが無いような場合、即ちコマ画像が斜めに傾いた状態となり得ない場合は、対角の二点を指示するようにしてもプリント領域を設定することができる。コマ画像が斜めに傾いた状態となっている場合であっても、プリント領域の大きさ及びその傾きを指定するのであれば、一点指示であってもプリント領域を設定することができる。プリント領域の大きさを指定する方法を採用する場合、各種フィルムのコマ画像の大きさに対応したプリント領域の大きさを予め準備しておき、フィルムの種類に応じて何れかをオペレータにあるいは自動的に選択させるようにしてもよい。
【００４７】
また、上記実施形態においては、デジタル露光方式の写真処理装置について言及しているが、本発明に係る写真処理装置は、光源及び光学レンズ系を用いるアナログ方式をも含む。
【００４８】
さらに、上記実施形態においては、２４枚撮りのフィルムを使用しているが、本発明はこれに限定されず、処理対象となるフィルムの枚数は問わない。また、切断されていない一本の長尺なフィルムを処理する場合もあり得る。そして、フィルムの種類も特に限定されず、公知のフィルム全てを含むことができる。
【００４９】
また、上記実施形態においては、カラーモニターがフィルムの６コマ分を６分割表示するものであったが、その他の画像表示態様としては、１コマ表示、４コマ表示、２４コマ表示、２８コマ表示、４０コマ表示がある。
【００５０】
さらに、制御部とで表示手段を構成する表示媒体としては、カラーモニターに限定されず、モノクロのモニターであってもよい。
【００５１】
また、上記実施形態においては、ラインセンサによりフィルムを撮像するようにしているが、本発明は、エリアセンサによりフィルムを撮像する場合も含む。
【００５２】
さらに、上記実施形態においては、プリント領域を設定すれば、そのプリント領域の設定のために取り込まれた画像からプリント画像を抽出するようにしているが、例えば、オペレータがコマ画像の内容確認や各種の入力操作を行うために使われる画像を取り込むこと（いわゆる「プレスキャン」）と、実際にプリントするために使われる画像を取り込むこと（いわゆる「本スキャン」）の両方を実行する写真処理装置においては、プレスキャンで取り込まれた画像に基づきプリント領域の設定を行い、この設定情報に基づき本スキャンで取り込まれた画像からプリント画像を抽出するようにしてもよい。
【００５３】
【発明の効果】
以上の如く、本発明に係る写真処理装置によれば、コマ画像の周縁がカットされることなくコマ画像全体が表示されるので、コマ画像の全体像を把握することができ、しかも、コマ画像のエッジと一致するようにプリント領域を設定すれば、コマ画像をスピルオーバーすることなくそのまま全体をプリント上に再現することができる。
【図面の簡単な説明】
【図１】本発明の一実施形態を示す写真処理装置の概略図を示す。
【図２】同実施形態における画像表示に係る構成のブロック図を示す。
【図３】同実施形態のカラーモニターの画面を示す。
【図４】スキャナーが取り込んだフィルムの画像を示す。
【符号の説明】
４    ＣＣＤラインセンサ（撮像手段）
７    デジタル露光ヘッド（露光手段）
８ａ  記憶部
８ｂ  露光条件算出部（計算領域設定手段）
８ｃ  表示制御部（表示領域設定手段）
８ｄ  プリントデータ作成部（プリント領域設定手段、画像回転処理手段）
８ｅ  露光ヘッド制御部
１１  マウス（ポイント指示手段）
１２  表示窓（表示手段）
１３  コマ画像
１４  スヌケ部
Ｆ    フィルム
Ｐ    感光材料
【図１】
0003745701.tif 000002
【図２】
0003745701.tif 000003
【図３】
0003745701.tif 000004
【図４】
0003745701.tif 000005